(57)【特許請求の範囲】
【請求項１】
軸方向に平坦面が多角形である作動空間３を内部に形成された本体２と、
前記本体２の下側に本体２より小さな直径を有するように形成され、内側に作動空間３の下端に支え顎６が形成されるように引出孔５を形成した突っ張り４と、
前記突っ張り４の下側に鋳型２００と接するように形成した支持板７と、
前記作動空間３を密閉するように本体２の上部に結合するカバー部材３０と、
前記作動空間３に内入されてスプリング部材２０によって引出孔５側に加圧されるアンカーボルト部材１０を含み、
前記突っ張り４は、スラブや壁体１００下側に位置する断熱材５０の厚さに符合する長さを有し、
前記支持板７の下側には、鋳型２００に固定されたインサート固定具４０のヘッド４２が内入されるヘッド内入口８が形成され、
前記アンカーボルト部材１０には鋳型２００をとり除いた状態でアンカーボルト部材１０の先端に連結具６０を利用して延長ネジ棒７０を連結構成するようにした
ことを特徴とする建築スラブ用インサート。
【請求項２】
前記アンカーボルト部材１０はネジ棒１２上端にボルト頭１１を一体形成した
請求項１に記載の建築スラブ用インサート。
【請求項３】
前記アンカーボルト部材１０は調整ボルト１４で構成されてナット部材１３が締結され、高さ調節が可能にさせた
請求項１に記載の建築スラブ用インサート。
【請求項４】
前記支持板７には複数の固定孔７ａを形成し、ピースまたは釘のような固定手段９で支持板７を鋳型２００に固定するようにした
請求項１ないし３のいずれかに記載の建築スラブ用インサート。
【請求項５】
前記本体２の内部に係止溝２ａを形成してネジ棒１２の上端に形成されたボルト頭１１または、調整ボルト１４に結合されるナット部材１３が内入係止されるようにし、
前記ボルト頭１１またはナット部材１３は前記作動空間３と対応する形状で形成され、前記作動空間３とよれた状態で前記係止溝２ａが多段で形成され、前記引出孔５を通じて引出された前記ネジ棒１２または調整ボルト１４を前記係止溝２ａが具備される高さで回動させ、前記ボルト頭１１またはナット部材１３が前記複数の係止溝２ａのいずれかに内入されて係止されるようにすることで、前記引出孔５を通じて引出された前記ネジ棒１２または調整ボルト１４の引出長さを調節することができる
請求項２または３に記載の建築スラブ用インサート。
【請求項６】
前記本体２の外部に、本体２を切断しやすくする切断用の溝２ｂを形成し、本体２の長さを調節できるようにした
請求項１ないし３のいずれかに記載の建築スラブ用インサート。
【請求項７】
前記アンカーボルト部材１０には鋳型２００をとり除いた状態でアンカーボルト部材１０に締結されてアンカーボルト部材１０を固定する固定ナット部材１５を含む
請求項１ないし３のいずれかに記載の建築スラブ用インサート。
【発明の詳細な説明】
【技術分野】
【０００１】
本発明は、建築スラブ用インサートに関するものであり、より具体的には、合板鋳型、アルミニウム(鉄材)鋳型、デッキプレート(以下、‘鋳型'と称する。)に共用で使用することができるし、鋳型を除去するの時に内蔵されたアンカーボルト部材が外部に引出されるようにする機能性を有するようにし、鋳型除去後別にアンカーボルト部材を組立てるなどの煩わしさを一掃できるようにした建築スラブ用インサートを提供しようとするものである。
【背景技術】
【０００２】
一般に、建築物の天井のようなコンクリートスラブや壁体を施工する場合、天井に構造物などをぶら下げて設置するためにコンクリートスラブや壁体内にナット型インサートを埋め込んで設置する。
前記スラブ用インサートは通常合板鋳型やアルミニウム鋳型に適用できるようになって、多様な先行技術らが提案されている。
【０００３】
スラブ用インサートの代表的な例としては、大韓民国公開特許公報(Ａ)１０-２００９-０１１３４７６号(２００９．１１．０２．)のコンクリートスラブ用インサートが提案されているし、これの構成はコンクリートに埋め込んで設置されるコンクリートスラブ用インサートにおいて、内部にナット体を内蔵したインサート本体、前記インサート本体の下方に延長されてアンカーボルトが挿入結合される凹入管、前記凹入管の下方に延長され、弾性的に軸径可能に形成された弾性片、及び前記弾性片の端部に形成されて前記コンクリートの鋳型に形成された差込孔の背面にかかられるように外向突き出された係止部、を含んで構成されたことなどを特徴としている。
【０００４】
このような構成はインサート本体を鋳型に対してワンタッチ結合する簡単な作業でインサートを設置することができて施工が非常に簡便であり、鋳型を脱去しても鋳型上にインサートを設置するための構成品が残っていなく、鋳型の構造を変更する必要なしに半永久的にリサイクルすることができる。
【０００５】
他の例としては、特許文献１のコンクリートスラブ用インサートが提案されているし、これの構成は円筒上の胴体連結端部に着脱可能に結合する連結管とアンカーナット挿入部に結合されるふたで構成され、前記連結管はアンカーボルトが貫通できるように通路が形成されてアンカーナットが内蔵されたヘッド部と、アンカーボルトが挿入される通路が形成された胴体、胴体の下端内部面に放射状で形成された凹凸部が形成された円筒上のガイド部及び前記凹凸部と着脱可能に結合される放射状の凹凸部が形成され、先端に先ピンが装着された円錐状の先端部でなされて、前記ヘッド部とガイド部及び先端部がお互いに着脱可能に結合されるコンクリートスラブ用インサートにおいて、前記胴体の上端外部面の周りには一定間隔で突き出されるように形成された多数個の突出部が構成され、前記円錐状の先端部には螺糸山が形成された円錐状ネジ部が構成されるものである。
【０００６】
前記した先行技術によれば、回転式で埋設するための構造及び円錐状の先端部によってインサートを便利で易しく埋設することができるので、インサート埋設工事に必要となる人力、時間及び経費を減縮する改善された効果を達成し、また、組み立て式コンクリートスラブ用インサートの構造によってインサートに結合されるアンカーボルトの規格変更の場合にもアンカーナットを容易に入れ替ることができる効果がある。
【０００７】
しかし、前記した構成は鋳型を分離した状態で内蔵されているアンカーナットにアンカーボルトを締結しなければならない煩わしさがある。
したがって、業界では鋳型を分離した後別にアンカーボルトを組立てるなどの作業なしにアンカーボルト使用が可能な構成のインサートが要求されていた。
【先行技術文献】
【特許文献】
【０００８】
【特許文献１】大韓民国登録特許公報(B１)１０-１４９３２４９号(２０１５．０２．１３)
【発明の開示】
【発明が解決しようとする課題】
【０００９】
これに本発明者は、前記のように鋳型の上側に鉄筋を配筋した状態でコンクリートを打設してスラブや壁体を施工する時(または、壁体を施工する時)建築用仕切り材(天井パネルまたは、壁体パネル)を固定するための建築スラブ用インサートを使用するにおいて、鋳型除去後別に準備したアンカーボルト部材をインサートに組立てなければならない作業不便を一掃できるように本発明を研究開発したものである。
【００１０】
すなわち、本発明ではインサートを構成する本体の内部に作動空間を形成し、アンカーボルト部材が具備されたボルト頭または、締結されたナット部材を作動空間内に位置させ、スプリング部材によって弾性支持されるようにすることで、鋳型をとり除いた状態である時アンカーボルト部材が本体下側の突っ張りに形成した引出孔を通じて外部に引出されるようにし、鋳型除去後別にアンカーボルト部材を組立てるなどの煩わしさを一掃できるようにした建築スラブ用インサートを提供することに発明の技術的課題をおいて本発明を完成したものである。
【課題を解決するための手段】
【００１１】
課題解決手段で本発明では第一、軸方向に平坦面が多角形である作動空間を内部に形成された本体と、前記本体の下側に本体より小さな直径を有するように形成され、内側に作動空間下端に支え顎が形成されるように引出孔を形成した突っ張りと、前記突っ張りの下側に鋳型と接するように形成した支持板と、前記作動空間を密閉するように本体の上部に結合するカバー部材と、前記作動空間に内入されてスプリング部材によって引出孔側に加圧されるアンカーボルト部材を含むことを特徴とする。
【００１２】
二番目、前記アンカーボルト部材はネジ棒の上端にボルト頭を一体形成したことを特徴とする。
【００１３】
三番目、前記アンカーボルト部材は電算ボルトで構成されてナット部材が締結されて高さ調節が可能であるようにさせたことを特徴とする。
【００１４】
四番目、前記突っ張りはスラブや壁体下側に位置する断熱材の厚さに符合する長さを有するようにしたことを特徴とする。
【００１５】
五番目、前記支持板には複数の固定孔を形成し、ピースまたは釘のような固定手段で支持板を鋳型に固定できるようにしたことを特徴とする。
【００１６】
六番目、前記支持板の下側には型に固定されたインサート固定具のヘッドが内入されるヘッド内入口を形成したことを特徴とする。
【００１７】
七番目、前記本体の内部に係止溝を形成してネジ棒の上端に形成されたボルト頭、または電算ボルトに結合されるナット部材が内入係止されるようにし、引出孔に引出されるアンカーボルト部材の長さを調節するようにしたことを特徴とする。
【００１８】
八番目、前記本体の外部に切断溝を形成して本体の長さを調節するようにしたことを特徴とする。
【００１９】
九番目、前記アンカーボルト部材には鋳型をとり除いた状態でアンカーボルト部材に締結されてアンカーボルト部材を固定する固定ナット部材を含むことを特徴とする。
【００２０】
十番目、前記アンカーボルト部材には鋳型をとり除いた状態でアンカーボルト部材の先端に連結具を利用して延長ネジ棒を連結構成するようにしたことを特徴とする。
【発明の効果】
【００２１】
本発明で提供する建築スラブ用インサートを使用する場合下記のような効果がある。
-支持板に固定孔が形成され、また支持板下側でヘッド内入口が形成された構成を有するので鋳型に使用することができる。
【００２２】
-アンカーボルト部材が内蔵設置された状態で鋳型を除去する時突っ張りに形成されている引出孔を通じて引出されるので、別にアンカーボルト部材を組立てるなどの煩わしさを一掃することができる。
【００２３】
-突っ張り下側に引出されたアンカーボルト部材に固定ナット部材を締結する方法でアンカーボルト部材の長さを易しく調節することができながらもアンカーボルト部材の堅固な固定状態を提供することができる。
【００２４】
-本体の内部に係止溝を形成して引出孔を通じて外部に露出されるアンカーボルト部材の長さを易しく調節することができる。
【００２５】
-本体の外部に多段で形成された切断溝を利用して本体の長さを易しく調節することができる。
【００２６】
-突っ張りを長く構成することで断熱材が適用されるスラブや壁体にも使用可能である。
【図面の簡単な説明】
【００２７】
【図１】本発明で提供する建築スラブ用インサートの望ましい第１実施例を示す斜視図
【図２】図１の分解斜視図
【図３】図１の組み立て状態断面図
【図４】本発明を合板鋳型に適用した状態断面図
【図５】本発明をアルミニウム鋳型に適用した状態断面図
【図６】本発明で本体の内部に係止溝を形成した状態を示す斜視図
【図７】図６の断面図及び平面図
【図８】本発明で本体の外部に切断溝を形成した状態を示す斜視図
【図９】図８の断面図
【図１０】本発明で提供する建築スラブ用インサートの望ましい第２実施例を示す斜視図
【図１１】図１０の使用状態を示す断面図
【図１２】本発明のアンカーボルト部材に延長ネジ棒を連結構成した例を示す断面図
【発明を実施するための形態】
【００２８】
以下、本発明で提供する建築スラブ用インサートの望ましい一実施例を添付図面に基づいて説明する。
【００２９】
図１は、本発明で提供する建築スラブ用インサートの望ましい第１実施例を示す斜視図を示したものであり、図２は図１の分解斜視図であり、図３は図１の組み立て状態断面図であり、図４は本発明を合板鋳型に適用した状態断面図であり、図５は本発明をアルミニウム鋳型に適用した状態断面図をそれぞれ示したものである。
【００３０】
本発明で提供する建築スラブ用インサート１は建築物のスラブや壁体１００に共用で適用することができるものであり、天井パネルまたは壁体パネルのような建築用仕切り材を固定するためのアンカーボルトを別に施工しないながらも、これらの施工がなされるようにする用途で使用するものである。
【００３１】
特に、本発明で提供する建築スラブ用インサート１は、アンカーボルト部材１０を内蔵しておいてから、鋳型２００をとり除くと共にスプリング部材２０の弾性力によって外部に引出されることができるようにすることで、アンカーボルト部材１０を別に組立てるなどの煩わしさを一掃できるようにする特徴を有する。
【００３２】
このための本発明は、本体２と、アンカーボルト部材１０と、スプリング部材２０と、カバー部材３０と、を含む構成でなされる。
【００３３】
前記本体２は内側に作動空間３が形成され、作動空間３は軸方向にアンカーボルト部材１０を収容することができる深さを有するように構成され、平坦面から見る時アンカーボルト部材１０のボルト頭１１またはアンカーボルト部材１０に結合されるナット部材１３の形状に符合する多角形で形成する。図示したようにボルト頭１１またはナット部材１３が六角形で形成され、作動空間３も平坦面が六角形で形成され、作動空間３はボルト頭１１またはナット部材１３より大きい寸法で形成され、ナット部材１３が自然に昇降されることができるように構成する。
【００３４】
前記作動空間３は本体２に組み立てされるカバー部材３０によって密閉される構成を有する。本体２とカバー部材３０は組み立て方法としては、本体２に形成された作動空間３に圧嵌されるようにカバー部材３０の下側で固定部３１を突き出形成した構成によってなされる。
【００３５】
前記本体２の下側には、本体２より直径が小さな突っ張り４が本体２と一体で形成され、突っ張り４の内側にはアンカーボルト部材１０が軸方向に引出されることができる引出孔５が形成され、作動空間３と引出孔５の境界には支え顎６が形成され、アンカーボルト部材１０が下向移動した状態で差されることができるようにする。
【００３６】
前記突っ張り４の下側には広い板状の支持板７が突っ張り４と一体型で具備され、支持板７には複数の固定孔７ａが縁側に形成されて支持板７を合板鋳型２００に釘やピースなどの固定手段９で堅固に固定できるようにする。(図４参照)
【００３７】
また、支持板７の下側には前記引出孔５の下端に位置するようにヘッド内入口８を形成してアルミニウムタイプの鋳型２００で使用できるようにする。(図５参照)
【００３８】
アルミニウム鋳型２００の場合アパートやオフィステルなどのように内部空間が等しい構成の建築物を築造する時主に使用するようになるが、アルミニウム鋳型２００にはスラブ用インサート１を定位置に固定するためのインサート固定具４０が結合された構成を有する。
【００３９】
前記インサート固定具４０の場合鋳型２００に固定される締結ネジ部４１と締結ネジ部４１の上側に延ばしてヘッド４２を形成し、締結ネジ部４１とヘッド４２の境界には係止片４３を形成する構成でなされる。
【００４０】
本発明でのヘッド内入口８は、引出孔５にヘッド４２が内入された状態である時係止片４３が内入されるように支持板７に形成した溝を指称するものである。
【００４１】
一方、作動空間３内には前記で言及したようにアンカーボルト部材１０が内蔵され、アンカーボルト部材１０の上側とカバー部材３０との間にはスプリング部材２０を配置し、アンカーボルト部材１０を引出孔５側に加圧されるようにする。この時、本発明に適用されるアンカーボルト部材１０はネジ棒１２上端にボルト頭１１が一体で形成されたことを使用するか、または電算ボルト１４にナット部材１３を締結した構成が選択的に適用されることができる。
【００４２】
前者の場合アンカーボルト部材１０の長さ調節が難しいが、後者の場合電算ボルト１４に組み立てされているナット部材１３を上向きまたは下向き移動させる方法で鋳型２００をとり除いた状態で外部に露出される長さを多様に調節して使用することができる便利性を提供することができる。
【００４３】
一方、本発明は鋳型２００をとり除いた状態でスラブ用インサート１の下側に引出されるアンカーボルト部材１０には固定ナット部材１５を締結するようにし、アンカーボルト部材１０を搖れることなしに堅固に固定できるようにする。
【００４４】
図６は、本発明で本体の内部に係止溝を形成した状態を示す斜視図を示したものであり、図７は図６の断面図及び平面図を示したものである。
【００４５】
これは前記のように本発明を構成するにおいて、本体２の内部に高さがお互いに異なる係止溝を形成してアンカーボルト部材１０のボルト頭１１またはアンカーボルト部材１０に結合されるナット部材１３が内入されることができるようにしてネジ棒１２または、電算ボルト１４の引出長さを調節できるようにしたものである。
【００４６】
すなわち、図６、図７でのボルト頭１１またはナット部材１３は直四角形上を有し、本体２の内側に形成される作動空間３をボルト頭１１またはナット部材１３と共に直四角形で形成し、作動空間３とよれた状態で係止溝２ａを多段で形成し、引出孔５を通じて引出されたネジ棒１２または電算ボルト１４を係止溝２ａがある高さで回動させる時ボルト頭１１またはナット部材１３が係止溝２ａに内入されて係止されるようにすることで、引出孔５を通じて引出されたネジ棒１２または電算ボルト１４の引出長さを調節することができるようになるものである。
【００４７】
図８は、本発明で本体の外部に切断溝を形成した状態を示す斜視図を示したもであり、図９は図８の断面図である。
これは前記のように構成するにおいて、本体２の外部に多段で切断溝２ｂを形成した構成である。
【００４８】
前記のように本体２に切断溝２ｂを形成する場合スラブや壁体１００の厚さに符合できるように本体２の長さを調節することができる機能性を提供するようになるものである。
【００４９】
すなわち、本体２の長さを調節しようとする時には先ず、本体２上側に組み立てされているカバー部材３０を分離した状態で、多段で具備されている切断溝２ｂを利用して本体２を所望する長さで調節した状態で本体２にカバー部材３０を再組み立てすれば良いものである。
【００５０】
前記のように本体２の長さを調節する場合建築物の設計でスラブや壁体１００の厚さが異なるようになっても現場で本体２の長さを簡便に調節し、使用することができる便利性を提供する効果を提供するようになるものである。
【００５１】
図１０は、本発明で提供する建築スラブ用インサートの望ましい第２実施例を示す斜視図を示したものであり、図１１は図１０の使用状態を示す断面図を示したものである。
【００５２】
これは前記第１実施例のように建築スラブ用インサート１を構成するにおいて、突っ張り４をスラブや壁体１００下側に位置する断熱材５０の厚さに符合する長さを有するように長く形成したものであり、図９のように突っ張り４が断熱材５０内側に位置され、突っ張り４と突っ張り４の上端に位置する本体２がスラブや壁体１００に埋立される構成を提供するようになりながら、断熱材５０下側の鋳型２００を分離する状態に本発明のスラブ用インサート１の堅固な固定を提供することができるようになるものである。
【００５３】
図１２は、本発明のアンカーボルト部材に延長ネジ棒を連結構成した例を示す断面図を示したものである。
【００５４】
本発明で提供する建築スラブ用インサート１は、本体２内側の作動空間３に符合する長さでアンカーボルト部材１０の長さが限定されるが、場合によってはアンカーボルト部材１０を長く形成する必要がある。
【００５５】
例えば、天井パネルとスラブや壁体１００との間空間が高く提供される場合には、本発明で提供するアンカーボルト部材１０で施工することができなくなるが、これを解決する方法としてはアンカーボルト部材１０を構成している電算ボルト１４をナット部材１３から分離し、施工に符合する長さの電算ボルト１４を再組み立てする方法と、図示したようにアンカーボルト部材１０に連結具６０を螺合した状態で連結具６０に延長ネジ棒７０を締結して長さを延ばすようにすれば良いものである。
【００５６】
以上のように提供される本発明の建築スラブ用インサート１は、スラブや壁体１００に共用で使用することができるものであり、鋳型２００を分離する時本体２内の作動空間３に内蔵されているアンカーボルト部材１０がスプリング部材２０の加圧力によって外部に引出されるものであり、電算ボルト１４などを別に組立てる不便を一掃することができるようになるものである。
【００５７】
本発明の詳細な説明では具体的な実施例に関して説明しているが、本発明の範疇から脱しない限度内で多様な変形が可能である。それで、本発明の保護範囲は説明された実施例に限って決められてはいけないし、後述する請求範囲だけでなく、均等なものなどによって決まる。
【図１】
0006954543.tif 000002
【図２】
0006954543.tif 000003
【図３】
0006954543.tif 000004
【図４】
0006954543.tif 000005
【図５】
0006954543.tif 000006
【図６】
0006954543.tif 000007
【図７】
0006954543.tif 000008
【図８】
0006954543.tif 000009
【図９】
0006954543.tif 000010
【図１０】
0006954543.tif 000011
【図１１】
0006954543.tif 000012
【図１２】
0006954543.tif 000013